【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
電気装置のクラスタにわたって電気エネルギを分配するためのシステムであって、前記クラスタは、少なくとも１つのスマートグリッド対応電気装置と少なくとも１つのスマートグリッド非対応電気装置とを含み、前記スマートグリッド対応電気装置は、課せられたタスクの実行に対して柔軟性を有し、スマートグリッドエージェントによってスマートグリッドを介して電気グリッドに接続され、前記スマートグリッドエージェントは、前記クラスタの前記スマートグリッド対応電気装置のために前記電気グリッドに対して授受される時間の関数としての電気エネルギの量を前記スマートグリッド対応電気装置および前記スマートグリッドの情報に基づいて判定するように構成され、前記システムは、前記クラスタのために前記電気グリッドに対して実際に授受される電気エネルギの量を測定するためのメーターと、所定期間にわたって前記クラスタに対して授受されると前記スマートグリッドエージェントによって判定されるエネルギの量と前記所定期間にわたって前記クラスタに対して実際に授受されてメーターによって測定されるエネルギの量との差を判定するためのソフトウェアコンポーネントを含む制御部とを備え、前記制御部は、前記判定された差に基づいて仮想スマートグリッド対応電気装置をシミュレーションし、前記判定された差に基づいて前記スマートグリッドエージェントに情報を提供するためのソフトウエアコンポーネントを含み、前記スマートグリッドエージェントは、前記クラスタの前記仮想スマートグリッド対応電気装置としてモデル化された前記スマートグリッド対応電気装置および前記スマートグリッド非対応電気装置の両方のために前記電気グリッドに対して授受される時間の関数としての電気エネルギの量を前記クラスタの前記スマートグリッド対応電気装置および前記スマートグリッド非対応電気装置の両方ならびに前記スマートグリッドの情報に基づいて判定するように構成され、前記システムは、前記エネルギの分配を、前記所定期間にわたって前記クラスタに対して授受されると前記スマートグリッドエージェントによって判定されるエネルギの量と前記所定期間にわたって前記クラスタに対して実際に伝達されて前記メーターによって測定されるエネルギの量との差が減少されるように制御するよう適合される、システム。
【請求項２】
前記制御部はＰＩＤ調整計またはＰＩ制御部である、請求項１に記載のシステム
【請求項３】
前記システムは複数のスマートグリッド対応電気装置とスマートグリッド非対応電気装置とを備える、請求項１または２に記載のシステム。
【請求項４】
請求項１に係るシステムの電気装置のクラスタにわたって電気エネルギを分配するための方法であって、前記クラスタは、課せられたタスクの実行に対して柔軟性を有する少なくとも１つのスマートグリッド対応電気装置と少なくとも１つのスマートグリッド非対応電気装置とを含み、前記スマートグリッド対応電気装置は、スマートグリッドエージェントによってスマートグリッドを介して電気グリッドに接続され、前記スマートグリッドエージェントは、クラスタのスマートグリッド対応電気装置のために電気グリッドに対して授受される時間の関数としての電気エネルギの量を前記スマートグリッド対応電気装置および前記スマートグリッドの上方に基づいて判定し、前記システムは、前記クラスタのために前記電気グリッドに対して実際に授受される電気エネルギの量を測定するメーターをさらに備え、前記システムは、前記所定期間にわたって前記クラスタに対して授受されると前記スマートグリッドエージェントによって判定されるエネルギの量と前記所定期間にわたって前記クラスタに対して実際に授受されて前記メーターによって測定されるエネルギの量との差を判定する制御部を備え、前記制御部は、前記判定された差に基づいて前記仮想スマートグリッド対応電気装置をシミュレーションし、前記判定された差に基づいて前記スマートグリッドエージェントに情報を提供し、前記スマートグリッドエージェントは、前記クラスタの前記仮想スマートグリッド対応電気装置としてモデル化された前記スマートグリッド対応電気装置および前記非対応電気装置の両方のために前記電気グリッドに対して授受される時間の関数としての電気エネルギの量を前記クラスタの前記スマートグリッド対応電気装置および前記スマートグリッド非対応電気装置の両方ならびに前記スマートグリッドの情報に基づいて判定し、前記エネルギの分配を、所定期間にわたって前記クラスタに対して授受されると前記スマートグリッドエージェントによって判定されるエネルギの量と所定期間にわたって前記クラスタに対して実際に伝達されて前記メーターによって測定されるエネルギの量との差が減少されるように制御するよう適合される、方法。
【請求項５】
前記判定された差に基づく前記制御部による前記仮想スマートグリッド対応電気装置の前記シミュレーションは、過去の判定された差に基づいて、次の所定期間にわたって前記スマートグリッド非対応電気装置によって使用されると予想されるエネルギの量を判定することによって行われる、請求項４に記載の方法。
【請求項６】
前記予想されるエネルギの量についての前記判定は、周期的に行われ、好ましくは各所定期間に行われる、請求項５に記載の方法。
【請求項７】
前記次の期間にわたって前記スマートグリッド非対応電気装置によって使用されると予想されるエネルギの量を判定するために使用される前記過去の判定された差は、過去の統計的に比較可能な時間において判定されれた差を含む、請求項５または６に記載の方法。
【請求項８】
前記統計的に比較可能な時間は、前の日、前の週、前の月、前の年のうちのいずれか１つである、請求項７に記載の方法。
【請求項９】
前記過去の判定された差は、前の所定期間からの判定された差を含む、請求項７または８に記載の方法。
【請求項１０】
前記制御部は、ＰＩＤ調整計を使用して前記仮想スマートグリッドエージェントをシミュレーションする、請求項１から９のいずれか１項に記載の方法。
【請求項１１】
前記ＰＩＤ調整計は、それぞれＰ、Ｉ、およびＤで示される、比例、積分、および微分パラメータの３つの別個のパラメータを有する計算アルゴリズムを実施し、Ｐは現在のエ 
ラーに依存し、Ｉは過去のエラーの蓄積に依存し、Ｄは現在の変化率に基づく未来のエラーの予測であり、ＰＩＤ計算アルゴリズムは、以下によって与えられ、
【数１】
2015503322.tif 000001
ｕ（ｔ）はＰＩＤ調整計の出力であり、パラメータＰ、Ｉ、およびＤは、それぞれ比例ゲイン、積分ゲイン、および微分ゲインを示し、ｔは、最初に０で示されてからの経過時間を示し、ｅ（ｔ）は、所定期間にわたってクラスタに対して授受されるとスマートグリッドエージェントによって判定されるエネルギの量と所定期間にわたってクラスタに対して実際に伝達されてメーターによって測定されるエネルギの量との間の差であるエラーを示す、請求項１０に記載の方法。
【請求項１２】
前記ＰＩＤ調整計はＰＩ制御部である、請求項１０または１１に記載の方法。
【請求項１３】
次の期間にわたってスマートグリッド対応電気装置に対して授受されると予想されるエネルギの量を過去の判定された差に基づいて判定することは、ＰＩＤ調整計を使用して行われる、請求項１０または１２のいずれか１項に記載の方法。
【請求項１４】
所定期間にわたって前記スマートグリッド対応電気装置に対して授受されると前記スマートグリッドエージェントによって判定されるエネルギの量と所定期間にわたって前記クラスタに対して実際に伝達されて前記メーターによって測定されるエネルギの量との差を判定する、請求項４から１３のいずれか１項に記載の方法。
【請求項１５】
所定期間にわたってクラスタに対して授受されるとスマートグリッドエージェントによって判定されるエネルギの量と所定期間にわたってクラスタに対して実際に伝達されてメーターによって測定されるエネルギの量との間の差を判定するために請求項１、２、または３に記載のシステムにおいて使用される制御部であって、前記制御部は、判定された差に基づいて仮想スマートグリッド対応電気装置をシミュレーションし、判定された差に基づいて前記スマートグリッドエージェントに情報を提供するために提供され、前記クラスタの前記仮想スマートグリッド対応電気装置としてモデル化された前記スマートグリッド対応電気装置および前記スマートグリッド非対応電気装置の両方ために前記電気グリッドに対して授受される時間の関数としての電気エネルギの量を前記クラスタの前記スマートグリッド対応電気装置および前記スマートグリッド非対応電気装置の両方ならびに前記スマートグリッドの情報に基づいて判定するように構成され、前記エネルギの分配を、所定期間にわたって前記クラスタに対して授受されると前記スマートグリッドエージェントによって判定されるエネルギの量と所定期間にわたってクラスタに対して実際に伝達されてメーターによって測定されるエネルギの量との間の差が減少されるように制御する、制御部。